(57)【特許請求の範囲】
【請求項１】
扉の所定位置に取付金具を配設し、該取付金具のケース内に配される可動片を回転又は移動させることにより扉のハンドルをロックする一方、ラッチ体の前記ケース内への没入移動を妨げる扉錠であって、前記可動片の回転又は移動により前記扉のハンドル操作に連動するカム体のカム運動を妨げる第１ロック体と、前記カム運動に、当該カム運動を前記ラッチ体の増幅移動に変換する連結機構を介して連動する前記ラッチ体の前記没入移動を妨げる第２ロック体とを備えることを特徴とする扉錠。
【請求項２】
前記第１ロック体及び第２ロック体のうち、少なくとも一方は、前記ケース内で前記可動片の回転又は移動により反重力方向に移動することを特徴とする請求項１に記載の扉錠。
【請求項３】
前記カム体又はラッチ体からの衝撃を、前記第１ロック体及び第２ロック体のそれぞれを介して前記ケースの壁面で受ることを特徴とする請求項１又は２に記載の扉錠。
【請求項４】
前記第１ロック体と第２ロック体とは、合体して一つのロック体で構成されることを特徴とする請求項１〜３のいずれかに記載の扉錠。
【請求項５】
前記ロック体が前記可動片又は前記ケースに対し離脱可能に装着されているとき、前記ロック体は、前記可動片の回転又は移動に伴なって前記可動片又は前記ケースから離脱し、前記カム体のカム運動を妨げる方向及び前記ラッチ体の前記没入移動を妨げる方向に移動可能になることを特徴とする請求項４に記載の扉錠。
【発明の詳細な説明】
【０００１】
【発明が属する技術分野】
本発明は、扉をその内側からロックするときに使用する扉錠に関する。
【０００２】
【従来の技術】
例えば部屋などの扉の内側には、所謂サムターンが取り付けられており、かかるサムターンを回動操作して当該扉をロックする扉錠は、従来から種々あるが、この中でも、扉の閉じ込みを防止したもの、即ち、扉錠を操作したまま部屋から出てうっかり扉を閉めてしまったために扉が施錠されてしまうことを防止したものがある。
例えば、実開平１−８９５６６に開示の扉錠は、把手操作に連動するラッチハブの第２係合片がラッチボルトのコ字形状部を介して係合し、把手の回転によりラッチボルトが筐体内に没入移動する（把手が操作されないときは、ラッチボルトは筐体内から突出している）ようになっているが、表示ハブが施錠位置にあるときは、ラッチボルトのコ字形状部の突片に対し、サムターンの回転に連動する上記表示ハブの当接部が突き当たり、これにより当該ラッチボルトの、筐体内への上記没入移動を阻止すると同時に、把手の回転を阻止するようになっており、施錠位置では、常にラッチボルトは筐体内から突出している状態が保持され、したがって、上述のような扉の閉じ込みを防止できる。
また、特開平９−１６５９５８に開示のドア錠においては、レバーハンドル操作に連動するラッチカムのカムアームがラッチボルトに係合し、レバーハンドルの回転によりラッチボルトが錠ケース内に没入移動するようになっているが、ロックカムが施錠位置にあるときは、ラッチボルトに対し、サムターンの回転に連動する上記ロックカムによってロックプレートが当接し、これにより当該ラッチボルトの、錠ケース内への上記没入移動を阻止すると同時に、レバーハンドルの回転を阻止するようになっている。かかるドア錠においても、施錠位置では、常にラッチボルトは錠ケース内から突出している状態が保持され、したがって、上述のような扉の閉じ込みを防止できる。
【０００３】
【発明が解決しようとする課題】
しかしながら、扉の閉じ込みを防止できる扉錠やドア錠の機構は、ラッチボルトに対しレバーハンドルに連動するラッチハブが、また、ラッチボルトに対しレバーハンドルに連動するラッチカムが直接係合しているような構造の扉錠については好ましいが、ラッチボルトに対しラッチハブ等を直接係合させない、又はさせることができない構造の扉錠については用いることができない。
【０００４】
本発明の目的は、ラッチ体に対し扉のハンドルに連動する部材を直接係合させない構造等の扉についての閉じ込みが防止できる扉錠を提供することにある。
【０００５】
【課題を解決するための手段】
上記課題を解決するために、本発明の請求項１に係る扉錠は、扉の所定位置に取付金具を取付け、この取付金具のケース内に配設された可動片を回転又は移動させることにより扉のハンドルをロックする一方、ラッチ体がケース内へ没入移動するのを妨げるようにしたものであり、可動片の回転又は移動により扉ハンドル操作に連動するカム体のカム運動を妨げる第１ロック体と、カム体のカム運動が、当該カム運動をラッチ体の増幅移動に変換する連結機構を介することによって連動するラッチ体の、ケース内への没入移動を妨げる第２ロック体とを備えるものである。これにより、ラッチ体に対し扉のレバーハンドルに連動する部材、即ち、カム体を直接係合させることができない構造の扉について、閉じ込み防止が可能になることに加え、当該連結機構において、カム体のカム運動をラッチ体の増幅移動に変換して、レバーハンドルの僅かな回動でもラッチ体の移動量が増幅されるようにしているために、従来と同様なハンドルの回転量に対するラッチ体の移動量を確保できる。
【０００６】
本発明の請求項２に係る扉錠は、上記第１ロック体及び第２ロック体のうち、少なくとも一方が、ケース内で可動片の回転又は移動により反重力方向に移動するようにしたものであり、可動片を回転又は移動させないときはもとより、扉錠に不具合が生じたときには、第１ロック体又は第２ロック体、或いは第１ロック体及び第２ロック体の両方が重力方向に自然に落下（移動）するようにしているため、最悪の場合にも閉じ込みが生じない。
【０００７】
本発明の請求項３に係る扉錠は、錠カムの回動により施錠したときに、カム体又はラッチ体からの衝撃を、第１ロック体及び第２ロック体のそれぞれを介してケースの、例えばケース本体壁面で受るようにして、第１ロック体及び第２ロック体の破損を防止することができる。
【０００８】
本発明の請求項４に係る扉錠は、上記第１ロック体と第２ロック体とが、合体して一つのロック体で構成され、合体したロック体に対し、同時に扉ハンドルをロックする一方、ラッチ体がケース本体内へ没入移動するのを妨げる機能を持たせるようにしたものである。この場合、第１ロック体のみならず第２ロック体も、可動片を回転又は移動させないときはもとより、扉錠に不具合が生じたときには、重力方向に自然に落下（移動）するようになることは言うまでもない。
【０００９】
本発明の請求項５に係る扉錠は、ロック体が可動片又はケースに対し、例えば仮止めして離脱可能に装着されているとき、当該ロック体が、可動片の回転又は移動に伴なって可動片又はケースから離脱し、上記カム体のカム運動を妨げる方向及び上記ラッチ体の没入移動を妨げる方向に移動可能になるようにしたものである。
本扉錠によれば、本扉錠が組み込まれた取付金具の移送時、或いは当該取付金具の扉への施工時において、可動片を回転又は移動させない限り、ロック体が可動片又はケースに仮止めなどされているために移動することはなく、したがって、閉じ込みが生ずることはない。また、扉には扉錠付きタイプのものと扉錠無しタイプのものとがあるが、本扉錠が組み込まれた取付金具は、両タイプの扉に共用することができ、例えば扉錠無しタイプの扉に対しては施工後もロック体を可動片又はケースに仮止めなどしたままで使用すればよい。
【００１０】
【発明の実施の形態】
本発明の第１の実施の形態に係る扉錠を図１〜４を参照して説明する。
本扉錠１は、図１に示すような扉２の凹部（所定位置）に取り付けられた取付金具３内に組み込まれる装置である。本扉錠１及びこれを組み込んだ取付金具３を説明する前に、これらを外部から操作するために、当該扉２に取り付けられる部材の概略構成を説明する。
【００１１】
上述のように扉２の凹部に配設された取付金具３に対し、扉２の内表面側から内ハンドル座４が、また、その外表面側から外ハンドル座５が互いに対向する態様で取り付けられる。そして、内ハンドル座４にカバー６を装着するに際し、カバー６の内側にサムターン７の円筒突条部７ａが、また、カバー６の外側にサムターン７の摘み７ｂが配されるようにするとともに、内ハンドル座４の上部に設けられた小孔４ａに上記円筒突条部７ａが緩嵌されるようにする。かかる円筒突条部７ａは、取付金具３に組み込まれる後述の錠カム４２に連接される。更に、内ハンドル座４にカバー６を装着するに際し、カバー６の内側に内レバーハンドル（扉のハンドル）８の角芯棒８ａ及びサムターン７の矩形状鍔７ｃを係止させて錠カム４２の回転止め機能を果たす保持板９が、また、カバー６の外側に内レバーハンドル８の把持部８ｂが配されるようにするとともに、内ハンドル座４の下部に設けられた大孔４ｂ及び保持板９の穿設孔９ａを貫通する態様で上記角芯棒８ａが配されている。かかる角芯棒８ａは、取付金具３に組み込まれる後述のカム体３４の角孔３４ａ１に嵌挿される。
【００１２】
一方、外ハンドル座５にカバー１０を装着するに際し、カバー１０の上部孔１０ａに軸受１１を緩嵌し、この軸受１１に支持される細長の略矩形状棒１２がカバー１０の内側に配されるようにするとともに、矩形状棒１２が、外ハンドル座５の上部に設けられた小孔５ａ及び後述の錠カム４２の矩形孔４２ａ１を通して上記円筒突条部７ａの矩形孔に嵌挿されるようにする。更に、外ハンドル座５にカバー１０を装着するに際し、カバー１０の外側に外レバーハンドル（扉のハンドル）１３の把持部１３ａが配されるようにするとともに、把持部１３ａの折曲軸１３ａ１がカバー１０の下部孔１０ｂを介して外ハンドル座５の大孔５ｂに嵌着されるようにする。そして、上記折曲軸１３ａ１の金具に、カム体３４の角孔３４ａ１を貫通して延出した上記内レバーハンドル８の角芯棒８ａが嵌挿され、内レバーハンドル８と外レバーハンドル１３とは連動して回転するようになっている。
【００１３】
本扉錠１及びこれを組み込んだ取付金具３を図２を参照して説明する。
取付金具３は、ケース本体３０とケースカバー３１とで構成される平たい直方体箱ケース内に、本扉錠１等を組み込んだものである。ところで、ケース本体３０の側面のうち、扉２の凹部前面への取付板３０ａは、取付ボルト孔を有したフランジ部３０ａ１及び３０ａ２が両端から張り出していて他の側面より大き目に形成され、当該取付板３０ａに重ね合わせる態様でフロントプレート３２が取り付けられる。そして、フランジ部３０ａ１寄りの取付板３０ａ及びこれに重合されたフロントプレート３２の略円形状貫通孔３０ａ３及び略楕円形状貫通孔３２ａに、後述のラッチ体３９をガイドするためのラッチカバー３３が嵌着される。
【００１４】
取付金具３に組み込まれる部材のうちカム体３４は、上記角芯棒８ａが嵌挿される角孔３４ａ１を有する円筒体３４ａと、この円筒体３４ａの外周面から図２中では下方に突出する突条３４ｂと、この突条３４ｂとは反対の上方に突出する先細のアーム３４ｃと、このアーム３４ｃの先端に上記円筒体３４ａに平行に当該円筒体３４ａの外径より小さく、且つ、その軸長よりやや短い円筒体３４ｄとで構成される。そして、カム体３４は、同図中の右下方隅に固定された位置決めブロック３５から斜め上方に位置するケース本体３０の貫通孔３０ｂ（ケースカバー３１の貫通孔３１ｂ）に回動自在に緩嵌され、上述のようにこの角孔３４ａ１に角芯棒８ａが嵌挿されることによって内レバーハンドル８と外レバーハンドル１３の回転に連動するようになっており、かかる適宜な方向への回転により、突条３４ｂの一方面３４ｂ１がブロック３５の側面３５ａに当接する。
【００１５】
上記ブロック３５に対向する態様で、長細い板状部３６ａと折曲部３６ｂとで略Ｌ字形状をなし、下記メインスプリング３７の保持器を兼ねるメインスプリングプレート（連結機構）３６には、その板状部３６ａの略中央に立設された一対の爪体３６ａ１，３６ａ２のそれぞれの両側に凸状３６ｃ１，３６ｃ２が突設され、このうち凸状３６ｃ１がケース本体３０の案内長孔３０ｇに（図２では、案内長孔３０ｇの片方のみが描かれている）、また、凸状３６ｃ２がケースカバー３１の案内長孔３１ｇにガイドされる態様で、取付板３０ａに対し接近及び離隔方向に移動可能に配設される。
また、メインスプリングプレート３６は、その一端のスプリング座を取付板３０ａとし、他端のスプリング座を当該メインスプリングプレート３６の折曲部３６ｂとする上記メインスプリング３７により上記離隔方向に付勢されており、これにより、カム体３４の突条３４ｂは、その他方面３４ｂ２が折曲部３６ｂを介してメインスプリング３７から押圧されるために、その一方面３４ｂ１がブロック３５の側面３５ａに常に当接状態にされている。
【００１６】
上記メインスプリングプレート３６の板状部３６ａの略中央に立設された上記一対の爪体３６ａ１，３６ａ２は、断面視略U字状の長細い枠体３８ａ及びこの枠体３８ａの一方側端のそれぞれに突設された一対のアーム３８ｂ１，３８ｂ２からなるヨーク（連結機構）３８で、その上記枠体３８ａの下方に位置するところに緩嵌される。一方、このヨーク３８は、枠体３８ａで、その中央から下方寄りに位置するところに貫通孔３８ｃが穿設されており、この貫通孔３８ｃにケース３０の小孔３０ｃ（ケースカバー３１の小孔３１ｃ）に嵌着された軸棒４４（図３，４参照）が挿通される。これにより、ヨーク３８は、軸棒４４の回りに回動可能になるとともに、メインスプリングプレート３６の移動、即ち、カム体３４のカム運動をアーム３８ｂ１，３８ｂ２の各先端爪部での増幅移動に変換させることができる。
【００１７】
しかるに、このアーム３８ｂ１，３８ｂ２の各先端爪部は、下記ラッチ体３９のリング溝３９ｃに緩嵌されて当該ラッチ体３９を挟持する態様をなしており、したがって、これらアーム３８ｂ１，３８ｂ２の各先端爪部の移動によって、ラッチ体３９が移動する。
ところで、このラッチ体３９は、大円筒体を斜めに切断し、且つ、平取り加工が施された頭部３９ａとこれに連接する小円筒体にリング溝３９ｃが施された脚部３９ｂとからなっており、このリング溝３９ｃに上記アーム３８ｂ１，３８ｂ２の各先端爪部が緩嵌される。また、図２中の左上方隅には、略Ｌ字状板からなる支持部４０ａ及び折曲部４０ｂで、このうちの折曲部４０ｂに略Ｕ字状切欠き溝４０ｂ１を有するラッチ体プレート４０が、上記切欠き溝４０ｂ１に、脚部３９ｂのうち頭部３９ａに連接する方の元脚部３９ｂ１を挿通する状態にして固定される。そして、ラッチ体３９の頭部３９ａ端面とラッチ体プレート４０の折曲部４０ｂとの間にラッチ体スプリング４１が介装され、このスプリング４１によってラッチ体３９が上記ラッチカバー３３、即ち、ケース本体３０から突出する方向に付勢される。
【００１８】
したがって、カム体３４のカム運動は、増幅変換機能を有するメインスプリングプレート３６及びヨーク３８の連結機構を介してラッチ体３９のケース本体３０内への没入移動に伝達され、しかも、カム体３４の僅かなカム運動、換言すればレバーハンドル８又は１３の僅かな回転でもラッチ体３９の移動量が増幅されるようになる。
【００１９】
本扉錠１は、このようなカム体３４やラッチ体３９などが配設された取付金具３に組み込まれている。
本扉錠１は、サムターン７に連動する錠カム（可動片）４２と、この錠カム４２の回転によりカム体３４のカム運動を妨げる第１ロック体及びラッチ体３９のケース体３０内への没入移動を妨げる第２ロック体を合体したロック体４３とから構成されている。
このうち錠カム４２は、上記矩形状棒１２が挿通される矩形孔４２ａ１を有する円筒体４２ａと、この円筒体４２ａの一方端側の外周面から延出するアーム４２ｂと、このアーム４２ｂの先端に上記円筒体４２ａに平行に、且つ、当該円筒体４２ａの半長分の円筒体４２ｃとで構成され、円筒体４２ａは、その他方端がケース本体３０の貫通孔３０ｄ（その一方端がケースカバー３１の貫通孔３１ｄ）に回動自在に緩嵌される。
【００２０】
一方、ロック体４３は、リブ４３ｃを隔てて図２中では上下に区画された片面開放の下記空間部をそれぞれ有する錠カム受け部４３ａ及びカム体受け部４３ｂで構成される。
このうち、カム体受け部４３ｂは、上記リブ４３ｃと、左側壁４３ｂ１及び切欠きのある右側壁４３ｂ２とで囲まれる上記空間部がその下方において外部に開口し、当該右側壁４３ｂ２からは当該空間部内に向かって上記開口部位を塞ぐ態様で突条（第１ロック体）４３ｂ２１が突出される一方、左側壁４３ｂ１の両端面に突条４３ｂ１１がそれぞれ突出されている。そして、これら突条４３ｂ１１がケース体３０の長孔３０ｅ（ケースカバー３１の長孔３１ｅ）に緩嵌され、かかる長孔３０ｅに沿って移動できるようになっており、これにより、錠カム受け部４３ｂ、即ち、ロック体４３は、重力方向及び反重力方向（同図中、矢印Ａ方向が重力方向、矢印Ｂが反重力方向であり、以下同様である。）に移動可能になる。そして、ロック体４３が重力方向に移動したときには、カム体３４の円筒体３４ｄが上記開口部位から上記空間部内に挿入される態様となるために、当該空間部内を右側壁４３ｂ２に向かって移動可能になり、後述のようにラッチ体３９がケース本体３０内に没入移動する（図３（Ｂ）参照）。一方、ロック体４３が反重力方向に移動したときには、上記円筒体３４ｄが上記開口部位に位置するために、右側壁４３ｂ２に向かって移動しようとすると突条４３ｂ２１に当接して移動できず、同時に、後述のようにラッチ体３９がケース本体３０から突出し、ケース本体３０内に没入移動できない（図４参照）。この場合、カム体３４の当接による衝撃を、突条４３ｂ２１を介してケース本体３０の壁面で受るようにして、ロック体４３の破損を防止する。
【００２１】
錠カム受け部４３ａは、リブ４３ｃと、当該リブ４３ｃの両端から突出して互いに向き合う方向に折曲して形成された左側壁４３ａ１及び右側壁４３ａ２とで囲まれる上記空間部の中央が、もう一方の片面側において略U字状に切欠かれている。そして、この切欠き部位に錠カム４２の円筒体４２ｃが停留しているときには、錠カム受け部４３ａ、即ち、ロック体４３はその移動溝である上記長孔３０ｅの最下点のところで静止している。しかるに、錠カム４２の円筒体４２ａを、本実施の形態では、時計方向又は反時計方向のいずれかに回転すると、その円筒体４２ｃがリブ４３ｃと左側壁４３ａ１で囲まれる空間部、又はリブ４３ｃと右側壁４３ａ２で囲まれる空間部に移動するために、これに従って錠カム受け部４３ａ、即ち、ロック体４３が反重力方向に移動し、ほぼ９０゜回転したところで上記長孔３０ｅの最上点に達する。このとき、ラッチ体３９は、その脚部３９ｂの末脚部３９ｂ２がロック体４３の左側壁（第２ロック体）４３ａ１に当接して移動できない、即ち、ラッチ体３９がケース本体３０から突出し、ケース本体３０内に没入移動できず、閉じ込み防止が可能になる。この場合、ラッチ体３９の当接による衝撃を、左側壁４３ａ１介してケース本体３０に立設された突片３０ｆで受るようにして、ロック体４３の破損を防止する。
【００２２】
次に、本扉錠１及びこれを組み込んだ取付金具３の動作について図３及び４を参照して説明する。
まず、本扉錠１が使用されないときの取付金具３の動作について図３を参照して説明する。このときは、ロック体４３は、上記長孔３０ｅの最下点のところで静止している。
レバーハンドル８，１３が操作されていないときには、取付金具３は、同図（Ａ）の状態にある。即ち、レバーハンドル８，１３に連動するカム体３４は、当該カム体３４の突条３４ｂがメインスプリングプレート３６を介してメインスプリング３７の付勢力を受けてブロック３５に当接している。一方、ラッチ体３９は、スプリング４１の付勢力を受けてケース本体３０から突出している。このとき、ラッチ体３９に対し当該ラッチ体３９をケース本体３０内に没入移動させようとする外力を加えると、当該ラッチ体３９はケース本体３０内に没入移動する。
【００２３】
しかるに、レバーハンドル８又は１３が所定方向に回転操作されると、取付金具３は、同図（Ｂ）の状態に移行する。即ち、レバーハンドル８，１３に連動するカム体３４は、その突条３４ｂがメインスプリング３７の付勢力に抗してメインスプリングプレート３６を同図中の矢印方向に移動させる。すると、ヨーク３８は、上記プレート３６の爪体３６ａ１，３６ａ２から押圧力を受け、軸棒４４の回りに回転し、その一対のアーム３８ｂ１，３８ｂ２によりラッチ体３９をラッチ体スプリング４１の付勢力に抗してケース本体３０内に没入移動させる。ラッチ体３９の、ケース本体３０内への没入は、カム体３４、即ち、レバーハンドル８，１３が略１５゜ほど回転したところで始まる。尚、レバーハンドル８又は１３の回転操作を解放すると、同図（Ｂ）の状態が同図（Ａ）の状態に移行することはもちろんである。
このように本扉錠１が使用されないときは、ロック体４３は、長孔３０ｅの最下点のところで静止し、また、扉錠１などに不具合が生じたときには、ロック体４３は、重力方向に自然に落下することに加え、錠カム４２の円筒体４２ｃがロック体４３の錠カム受け部４３ａに形成された上記切欠き部位に自然に停留するようになっているので、最悪の場合にも閉じ込みが生じない。
【００２４】
次に、本扉錠１が使用されたときの取付金具３の動作について図４を参照して説明する。本扉錠１では、上述のように、錠カム４２を時計方向又は反時計方向のいずれに回転させても閉じ込み防止が可能になるように構成されており、図４（Ａ）は錠カム４２を反時計方向に回転して動作させたとき、また、同図（Ｂ）は錠カム４２を時計方向に回転して動作させたときの状態図であり、ここでは、図４（Ａ）の場合についてのみを説明する。
【００２５】
サムターン７が操作される前は、取付金具３は、例えば上述の図３（Ａ）のような状態になっていてラッチ体３９の頭部３９ａは、扉２が配設される枠体の受け金具（図示せず）に収容されている。このようなときに、サムターン７が反時計方向に回転操作されると、サムターン７に連動する錠カム４２の回転に伴なってロック体４３が反重力方向に移動し、錠カム４２が反時計方向にほぼ９０゜回転したところで、ロック体４３は上記長孔３０ｅの最上点に達する。このとき、レバーハンドル８又は１３は、回転操作されても、カム体３４の円筒体３４ｄがロック体４３の突条４３ｂ２１に当接していて回転しない。また、ラッチ体３９は、当該ラッチ体３９をケース本体３０内に没入移動させようとする外力が加えられても、その脚部３９ｂの末脚部３９ｂ２がロック体４３の左側壁４３ａ１に当接しており、ケース本体３０内に没入移動せずにケース本体３０から突出したままになる。これにより、閉じ込み防止が可能になる。
【００２６】
ところで、上述した実施の形態では、錠カム４２とロック体４３とは当初より互いに別体の部材として構成されている場合を説明したが、錠カム４２が、ロック体４３に離脱可能に装着され、外力を加えることにより錠カム４２がロック体４３から離脱されるようにしたものであってもよい。
図５は、このような仮止めの具体的な例を示すものであり、ロック体４３に対しては、そのリブ４３ｃ中央に、断面視略円形状の細長い溝５０を錠カム４２の回動軸と同一方向に設けるとともに、このリブ４３ｃの両面側に当該溝５０に臨むスリット５１が形成されるようにし、一方、錠カム４２に対しては、その円筒体４２ｃの、同図では最下端外周の一部に、矩形状の板部材５２ａに円筒部材５２ｂが添設されたような張出片５２を設ける。但し、板部材５２ａの厚みはスリット５１の開口幅より薄く、また、円筒部材５２ｂの外径は溝５０の内径より小さく形成されている。そして、張出片５２を溝５０に嵌挿させたまま、錠カム４２とロック体４３とを一体とする扉錠として取付金具に組み込む。
【００２７】
このような扉錠が組み込まれた取付金具においては、例えば扉錠無しタイプの扉に当該取付金具を取り付けても、ロック体４３は、張出片５２が溝５０に嵌挿されたままで錠カム４２と一体をなして上記長孔３０ｅの最下点のところで静止しているので、レバーハンドル８又は１３の回転操作によりラッチ体３９をケース本体３０内に没入移動させることに支障は生ぜず、扉錠無しタイプの扉に使用できる。
また、扉錠タイプの扉に当該取付金具を取り付ける場合には、取り付け後、サムターン７の摘み７ｂに対しいくらか大きな外力を加えて回転すると、錠カム４２は、その板部材５２ａのところで破断してロック体４３から離脱するようになるために、上述同様にロック体４３は反重力方向に移動することができるようになり、この結果閉じ込み防止が可能になる。上記破断したとき、円筒部材５２ｂは、ロック体４３の溝５０に嵌挿されたままで当該溝５０から脱落することはないので、不具合が生ずることはない。
【００２８】
本発明の第２の実施の形態に係る扉錠を図６を参照して説明する。
同図は、本扉錠６０が組み込まれた取付金具６１を示しているが、この取付金具６１は、上記第１の実施の形態に係る取付金具３においてその扉錠１を扉錠６０で置き換えて構成されるものである。したがって、同図では、取付金具６１の扉錠６０に関係するところのみ描かれており、本実施の形態についての説明も扉錠６０に関係するところのみ説明する。
本扉錠６０は、扉錠１の錠カム４２を錠スライダ（可動片）６２に、また、そのロック体４３をロック体６３に置き換えたものである。尚、錠スライダ６２は錠カム４２の機能に加え、上記サムターン７の機能を備えるものとなっている。
【００２９】
錠スライダ６２は、矩形状の角棒６２ａ及び略３角柱状の摘み６２ｂ並びにこれら角棒６２ａと摘み６２ｂとの間に挟持される平板状のブラケット６３ｃで構成され、このブラケット６３ｃは、摘み６２ｂを基準にほぼ等分された識別板６３ｃ１及び識別板６３ｃ２からなり、これらの一方端面には、略半円状の溝６４ａ，６４ｂがそれぞれ設けられ、このうちの溝６４ａは、錠スライダ６２が移動してロック体６３が上記長孔３０ｅの最下点で静止しているときに、例えば内ハンドル座４に設けられたバネ板６５の略半円状の突条６５ａに係止するようになり、溝６４ｂは、錠スライダ６２が移動してロック体６３が上記長孔３０ｅの最上点に達したときに、突条６５ａに係止するようになっている。尚、６６は、カバーであり、上記カバー６に対し操作窓６６ａの形状のみ異なる。
一方、ロック体６３は、同図において、上述したロック体４３のカム体受け部４３ｂに重ねて錠スライダ受け部６３ａを載置したような構造をなし、錠スライダ受け部６３ａは、縦部材（第２ロック体）６３ａ１と横部材６３ａ２とで縦断面視略Ｌ字形状をなし、横部材６３ａ２の略中央に角棒６２ａの挿通孔６３ａ２１が穿設されている。
【００３０】
本扉錠６０の動作では、サムターン、即ち、錠スライダ６２が移動操作されると、これに伴なってロック体６３が重力方向又は反重力方向に移動し、識別板６３ｃ１，６３ｃ２の溝６４ａ，６４ｂが突条６５ａに係止したところで、ロック体６３は上記長孔３０ｅの最下点、最上点にそれぞれ達する。これにより、本扉錠６０の未使用時及び使用時における動作は、上記取付金具３の扉錠１と同様に、この取付金具６１においてもなされる。
【００３１】
また、本取付金具６１は、扉錠無しタイプの扉にも扉錠タイプの扉にも取り付けることができる。（図６中の矢印で示す拡大図を参照）
本取付金具６１では、ケース本体３０の適宜なところに瓢箪形状の小孔６７を設ける一方、ロック体６３に対しては、上記小孔６７の形状に対応させて、当該ロック体６３の縦部材６３ａ１の下方位置に、矩形状の板部材６８ａに円筒部材６８ｂが添設されたような張出片６８を設け、この張出片６８の一部が小孔６７に嵌挿される仮止め態様を採っている。このような仮止め態様の取付金具６１においては、錠スライダ６２の摘み６２ｂに対しいくらか大きな外力を加えると、ロック体６３は、張出片６８が小孔６７の嵌挿口付近で破断してケース本体３０から離脱するようになるために、上述同様にロック体６３は反重力方向に移動可能になって、閉じ込み防止が図れる。しかるに、上記破断した張出片６８の破片は、小孔６７に嵌挿されたままで当該小孔６７から脱落することはないので、不具合が生ずることはない。
【００３２】
本発明の第３の実施の形態に係る扉錠を図７，８を参照して説明する。
上述した、例えば第１の実施の形態に係るロック体４３は、第１ロック体及び第２ロック体が合体した部材で構成されていたが、第１ロック体と第２ロック体とが別個の部材でそれぞれ構成されるようにしたものであってもよい。
本実施の形態に係る扉錠７０では、第１の実施の形態に係る錠カム４２及びロック体４３の代わりに、錠カム７１及びロック体７２を用い、錠カム７１の鉤形状部材７１ａに第２ロック体の機能を果たさせ、且つ、ロック体７２の鉤形状部材７２ｃに第１ロック体の機能を果たさせている。
【００３３】
錠カム７１は、上記錠カム４２に類似する形態に、部材７１ａ１と部材７１ａ２とで構成される鉤形状部材７１ａを突設させたような形態をなしている。即ち、錠カム７１は、上記矩形状棒１２が挿通される矩形孔７１ｂ１を有する円筒体７１ｂと、この円筒体７１ｂの一方端側の外周面から延出するアーム７１ｃと、このアーム７１ｃの先端に上記円筒体７１ｂに平行に突設された、当該円筒体７１ｂと略等長の円筒体７１ｄとから構成され、更に、上記アーム７１ｃが延出した側とは反対側の上記円筒体７１ｂの一方端側に突設され、その部材７１ａ２の先端面に施された凹部で以って固着された上記鉤形状部材７１ａから構成されている。このような錠カム７１は、その円筒体７１ｂの他方端が、上記錠カム４２と同様に、ケース本体３０の貫通孔３０ｄ（その一方端がケースカバー３１の貫通孔３１ｄ）に回動自在に緩嵌されるのであるが、このとき、鉤形状部材７１ａの部材７１ａ２がケースカバー３１側に配されるようにして、部材７１ａ２とケース本体３０間に空間部が形成されるようにする。当該空間部は、錠カム７１の回転に伴なうケース本体３０に立設された上記突片３０ｆとの干渉を防止するためのものである。そして、この錠カム７１は、本扉錠７０が使用されていないときには、図８（Ａ）のようにアーム７１ｃ及び円筒体７１ｄが下方を、鉤形状部材７１ａの部材７１ａ１が上方を向くように配される。また、本扉錠７０が使用されているときには、図８（Ｂ）のようにアーム７１ｃ及び円筒体７１ｄが右方を、部材７１ａ１が左方を向くように配され、当該部材７１ａ１がラッチ体３９の末脚部３９ｂ２に当接する位置に配される。このとき、部材７１ａ１と円筒体７１ｂ間に突片３０ｆが位置する態様をなす。
【００３４】
また、ロック体７２は、直方体形状部材７２ａと、当該部材７２ａの矩形側面の一方短辺に沿って突設された鉤形状部材７２ｂと、この鉤形状部材７２ｂとは反対側に位置する、当該部材７２ａの矩形側面の一方短辺に沿って突設された鉤形状部材７２ｃとで構成され、鉤形状部材７２ｂは、図７において、その縦部材７２ｂ１が上記短辺の中途から終端のところに突設される一方、鉤形状部材７２ｃは、その縦部材７２ｃ１が上記短辺の始端から終端のところに突設されている。このような構成のロック体７２は、部材７２ａと部材７２ｂとによって略凹溝７２ｄを形成し、また、部材７２ａと部材７２ｃとによって略凹溝７２ｅを形成する。ここで、鉤形状部材７２ｂの縦部材７２ｂ１が上記短辺の中途から突設されている理由は、後述する錠カム７１の、図８（Ａ）から同図（Ｂ）への回転に伴なって、錠カム７１のアーム７１ｃが当該鉤形状部材７２ｂと干渉しないようにするためである。
このようなロック体７２は、上記錠カム７１に対し、本扉錠７０が使用されていないときには、図８（Ａ）のように鉤形状部材７２ｂの横部材７２ｂ２が錠カム７１の円筒体７１ｂに対向し、直方体形状部材７２ａの側面が錠カム７１のアーム７１ｃ及び円筒体７１ｄに対向する位置に配される。また、本扉錠７０が使用されているときには、図８（Ｂ）のようにロック体７２の凹溝７２ｄに錠カム７１の円筒体７１ｄが挿入され、ロック体７２の鉤形状部材７２ｃの横部材７２ｃ２にカム体３４の円筒体３４ｄが当接する位置に配される。
ところで、ロック体７２の直方体形状部材７２ａには、この側面に垂直な両面の端部に突条７２ａ１がそれぞれ突出され、これら突条７２ａ１がケース本体３０の長孔３０ｅ（ケースカバー３１の長孔３１ｅ）に緩嵌され、ロック体７２は、この長孔３０ｅに沿って重力方向及び反重力方向に移動可能になる。
【００３５】
本扉錠７０の動作について図８を参照して説明する。
サムターン７が操作される前、即ち、本扉錠７０が使用される前は、錠カム７１及びロック体７２は同図（Ａ）の状態にあり、ロック体７２は移動溝である上記長孔３０ｅの最下点のところで静止している。このようなときに、サムターン７が反時計方向に回転操作されると、サムターン７に連動する錠カム７１が回転し、これに伴なってロック体７２が反重力方向に移動する。そして、錠カム７１が反時計方向に９０゜回転したところで、ロック体７２は上記長孔３０ｅの最上点に達し、同図（Ｂ）の状態になる。このとき、レバーハンドル８又は１３は、回転操作されても、カム体３４の円筒体３４ｄがロック体７２の鉤形状部材７２ｃの横部材（第１ロック体）７２ｃ２に当接していて回転しない。この場合、カム体３４の当接による衝撃を、横部材７２ｃ２を介してケース本体３０の壁面で受るようにして、ロック体７２の破損を防止する。
【００３６】
また、同図（Ｂ）の状態においては、ラッチ体３９は、その末脚部３９ｂ２が鉤形状部材７１ａの横部材（第２ロック体）７１ａ１の端面に当接して移動できない、即ち、ラッチ体３９がケース本体３０から突出し、ケース体３０内に没入移動できず、閉じ込み防止が可能になる。この場合、ラッチ体３９の当接による衝撃を、横部材７１ａ１を介してケース本体３０に立設された突片３０ｆで受るようにして、錠カム７１の破損を防止する。
【００３７】
ところで、本扉錠７０が使用されないときは、ロック体７２は、長孔３０ｅの最下点のところで静止し、また、扉錠７０などに不具合が生じたときには、ロック体７２は、重力方向に自然に落下するようになっているので、閉じ込みが生じない。このとき、錠カム７１において、そのアーム７１ｃ及び円筒体７１ｄの重量をその鉤形状部材７１ａのそれより重くすると、アーム７１ｃ及び円筒体７１ｄが下方に位置するようになるので、閉じ込みを防止するためには、更に効果的である。
【００３８】
また、本扉錠７０を有する取付金具も、扉錠無しタイプの扉にも扉錠タイプの扉にも取り付けることができる。
即ち、本実施の形態では、図７に示すように、ロック体７２の横部材７２ｂ２にＣ溝７２ｆを設けるとともに、これに対応する錠カム７１の円筒体７１ｂに張出片７３を設け、このＣ溝７２ｆに張出片７３を嵌挿させる態様が採られている。このような取付金具では、錠カム７１に対しいくらか大きな外力を加えて回転すると、錠カム７１は、円筒体７１ｂと張出片７３との接合部位のところで破断してロック体７２から離脱するようになるために、上述同様にロック体７２は反重力方向に移動することができるようになり、この結果閉じ込み防止が可能になる。上記破断したとき、張出片７３は、ロック体７２のＣ溝７２ｆに嵌挿されたままで当該Ｃ溝７２ｆから脱落することはないので、不具合が生ずることはない。
【００３９】
【発明の効果】
本発明の扉錠によれば、ラッチ体に対し扉のレバーハンドルに連動する部材を直接係合させられない構造の扉についての閉じ込みが防止できる。
【図面の簡単な説明】
【図１】  第１の実施の形態に係る扉錠が組み込まれた取付金具及びこれに取り付けられる部材の分解斜視図である。
【図２】  図１の取付金具の分解斜視図である。
【図３】  図１の取付金具の、扉錠の未使用時での動作説明図である。
【図４】  図１の取付金具の、扉錠の使用時での動作説明図である。
【図５】  第１の実施の形態に係る扉錠のうち、その構成部材が互いに離脱可能になる扉錠の分解斜視図である。
【図６】  第２の実施の形態に係る扉錠が組み込まれた取付金具の分解斜視図である。
【図７】  第３の実施の形態に係る扉錠の分解斜視図である。
【図８】  図７の扉錠の動作説明図である。
【符号の説明】
１，６０，７０        扉錠
２                    扉
３，６１              取付金具
８，１３              レバーハンドル
３０                  ケース本体（ケース）
３１                  ケースカバー（ケース）
３４                  カム体
３６                  メインスプリングプレート（連結機構）
３８                  ヨーク（連結機構）
３９                  ラッチ体
４２，７１            錠カム（可動片）
４３，６３，７２      ロック体
４３ｂ２１              突条（第１ロック体）
４３ａ１              左側壁（第２ロック体）
６２                  錠スライダ（可動片）
６３ａ１              縦部材（第２ロック体）
７１ａ１              鉤形状部材の横部材（第２ロック体）
７２ｃ１              鉤形状部材の横部材（第１ロック体）
【図１】
0003671161.tif 000002
【図２】
0003671161.tif 000003
【図３】
0003671161.tif 000004
【図４】
0003671161.tif 000005
【図５】
0003671161.tif 000006
【図６】
0003671161.tif 000007
【図７】
0003671161.tif 000008
【図８】
0003671161.tif 000009